(57)【要約】【課題】新しいヒンジ蓋容器、特に、消費財のための新しいヒンジ蓋パック又はカートンを提供する。【解決手段】ヒンジ蓋容器は、箱部分（４）と箱部分（４）にヒンジ止めされた蓋部分（６）とを含む。箱部分（４）は、第１ヒンジ線（２８）（２８’）に沿って容器の残りの部分に接続した一体型第１パネル（３８）（３８’）と、一体型第２パネル（４４）（４４’）とを含む。第１パネル（３８）（３８’）は、最初の位置で箱部分（４）の壁（２０）（１０）の少なくとも一部を形成し、第２パネル（４４）（４４’）は、最初の位置で第１パネル（３８）（３８’）の下に重なっている。第１パネル（３８）（３８’）は、最初の位置で少なくとも１つの脆弱線（４０）（４０’）（４１）（４１’）によって箱部分（４）の壁（１０）（２０）に形成され、かつ最初の位置からそれが容器の残りの部分から外向きにヒンジ止めされる第２の位置まで第１ヒンジ線（２８）（２８’）に関して折り畳み可能である。第２パネル（４４）（４４’）は、好ましくは、それを最初の位置からそれが容器の残りの部分から外向きにヒンジ止めされる第２の位置まで折り畳み可能である第２ヒンジ線に沿って、容器（４６）（４６’）の残りの部分に接続される。箱部分（４）は、好ましくは、最初の位置で第２パネル（４４）（４４’）の下に重なる一体型第３パネル（５２）（５２’）を更に含む。【選択図】図１
2009530200.tif 000002
【特許請求の範囲】
【請求項１】
箱部分（４）と、
前記箱部分（４）にヒンジ止めされた蓋部分（６）と、
を含み、
前記箱部分（４）は、
第１ヒンジ線（２８）（２８’）に沿って容器の残りの部分に接続された一体型第１パネル（３８）（３８’）と、
一体型第２パネル（４４）（４４’）と、
を含み、
前記第１パネル（３８）（３８’）は、最初の位置で前記箱部分（４）の壁（２０）（１０）の少なくとも一部を形成し、前記第２パネル（４４）（４４’）は、最初の位置で該第１パネル（３８）（３８’）の下に重なり、
前記第１パネル（３８）（３８’）は、前記最初の位置で少なくとも１つの脆弱線（４０）（４０’）（４１）（４１’）によって前記箱部分（４）の前記壁（１０）（２０）に形成され、かつ前記最初の位置からそれが容器の前記残りの部分から外向きにヒンジ止めされる第２の位置まで前記第１ヒンジ線（２８）（２８’）に関して折り畳み可能である、
ことを特徴とするヒンジ蓋容器。
【請求項２】
前記第１パネル（３８）（３８’）は、少なくとも１つの切り込み線、折り線、又は穿孔線（４０）（４０’）（４１）（４１’）によって前記箱部分（４）の前記壁（１０）（２０）に形成されることを特徴とする請求項１に記載のヒンジ蓋容器。
【請求項３】
前記第１パネル（３８）（３８’）は、少なくとも１つの穿孔線（４０）（４０’）（４１）（４１’）によって前記箱部分（４）の前記壁（１０）（２０）に形成されることを特徴とする請求項１又は請求項２に記載のヒンジ蓋容器。
【請求項４】
前記第１パネル（３８）（３８’）から外向きに延びるタブ（４２）（４２’）が、前記第１ヒンジ線（２８）（２８’）に対向する該第１パネル（３８）（３８’）の縁部に沿って設けられることを特徴とする請求項１、請求項２、又は請求項３に記載のヒンジ蓋容器。
【請求項５】
前記第１パネル（３８’）は、２つ又はそれよりも多くのヒンジ式に接続されたサブパネル（３８ａ’）（３８ｂ’）を含むことを特徴とする請求項１から請求項４のいずれか１項に記載のヒンジ蓋容器。
【請求項６】
前記第１パネル（３８）（３８’）は、前記第１ヒンジ線（２８）（２８’）に沿って容器の前記残りの部分に取外し可能に接続されることを特徴とする請求項１から請求項５のいずれか１項に記載のヒンジ蓋容器。
【請求項７】
前記第２パネル（４４）（４４’）は、第２ヒンジ線（４６）（４６’）に沿って容器の前記残りの部分に接続されることを特徴とする請求項１から請求項６のいずれか１項に記載のヒンジ蓋容器。
【請求項８】
前記第２パネル（４４）（４４’）は、前記最初の位置から、それが容器の前記残りの部分から外向きにヒンジ止めされる第２の位置まで前記第２ヒンジ線（４６）（４６’）に関して折り畳み可能であることを特徴とする請求項７に記載のヒンジ蓋容器。
【請求項９】
切り欠き（５０）（５０’）が、前記第２ヒンジ線（４６）（４６’）に対向する前記第２パネル（４４）（４４’）の縁部に沿って設けられることを特徴とする請求項８に記載のヒンジ蓋容器。
【請求項１０】
前記第２パネル（４４）（４４’）は、２つ又はそれよりも多くのヒンジ式に接続されたサブパネル（４４ａ）（４４ａ’）（４４ｂ）（４４ｂ’）を含むことを特徴とする請求項７、請求項８、又は請求項９に記載のヒンジ蓋容器。
【請求項１１】
前記第２パネル（４４）（４４’）は、前記第２ヒンジ線（４６）（４６’）に沿って容器の前記残りの部分に取外し可能に接続されることを特徴とする請求項７から請求項１０のいずれか１項に記載のヒンジ蓋容器。
【請求項１２】
前記箱部分（４）は、最初の位置で前記第２パネル（３８）（３８’）の下に重なる一体型第３パネル（５２）（５２’）を更に含むことを特徴とする請求項８から請求項１１のいずれか１項に記載のヒンジ蓋容器。
【請求項１３】
前記第３パネル（５４）（５４’）は、２つ又はそれよりも多くのヒンジ式に接続されたサブパネル（５２ａ）（５２ａ’）（５２ｂ）（５２ｂ’）を含むことを特徴とする請求項１２に記載のヒンジ蓋容器。
【請求項１４】
前記第１パネル（３８）（３８’）は、前記第２の位置から再び前記最初の位置まで前記第１ヒンジ線（２８）（２８’）に関して折り畳み可能であり、前記箱部分は、該最初の位置に戻った該第１パネル（３８）（３８’）を保持するための一体型保持手段を更に含むことを特徴とする請求項１から請求項１３のいずれか１項に記載のヒンジ蓋容器。
【請求項１５】
前記一体型保持手段は、最初の位置で前記第１パネル（３８）（３８’）の下に重なる少なくとも１つのタブ（４８）（４８’）を含むことを特徴とする請求項１４に記載のヒンジ蓋容器。
【請求項１６】
前記第１パネル（４４）は、前記箱部分（４）の後壁（２０）に形成されることを特徴とする請求項１から請求項１５のいずれか１項に記載のヒンジ蓋容器。
【請求項１７】
前記第１パネル（４４’）は、前記箱部分（４）の前壁（１０）に形成されることを特徴とする請求項１から１５のいずれか１項に記載のヒンジ蓋容器。
【請求項１８】
前記箱部分（４）及び前記蓋部分（６）は、単体ブランクから形成されることを特徴とする請求項１から請求項１７のいずれか１項に記載のヒンジ蓋容器。
【請求項１９】
請求項１から請求項１８のいずれか１項に記載のヒンジ蓋容器の箱部分（４）及び蓋部分（６）を形成するためのブランク（２）（５６）（５８）（６０）（６２）（６４）（６６）（６８）。
【発明の詳細な説明】
【技術分野】
【０００１】
本発明は、新しいヒンジ蓋容器に関し、特に、消費財のための新しいヒンジ蓋パック又はカートンに関する。
【背景技術】
【０００２】
商品を収容するレセプタクル部分とレセプタクル部分にヒンジ止めされた再密閉可能な蓋とを含むヒンジ蓋容器に様々な消費財をパッケージ化することは公知である。例えば、シガレット及び他の喫煙物品は、通例、下部箱部分と下部箱部分の後壁にヒンジ止めされた上部蓋部分とを含むヒンジ蓋パックに入れて販売される。そのようなパックは、シガレットの予め包まれた束の周りで適切な切り込み線に関して折り畳まれた時にヒンジ蓋パックの箱部分及び蓋部分を形成する様々なパネル及びフラップを含む積層厚紙ブランクで形成される。
【０００３】
消費者に情報を伝達するために消費財のための包装の外面には、一般的に、図形及びテキストが付加される。従来型ヒンジ蓋容器と実質的に同一の外観を有するが、例えば、補足的な銘柄、宣伝、販売促進、又は製品情報を伝えることができる付加的な表面区域を備えた消費財のためのヒンジ蓋容器を提供することが望ましいと考えられる。
従来型ヒンジ蓋シガレットパックは、比較的サイズが小さいので、可視外部表面積が特に制限される。従って、従来型ヒンジ蓋シガレットパックと実質的に同一の外観を有するが、付加的な表面区域を含む喫煙物品のためのヒンジ蓋パックを提供することが特に望ましいであろう。
【０００４】
既存の包装機械に対する修正が最小限か又は全くなしで生産することができるこのような付加的な表面区域を有するヒンジ蓋容器を提供することが更に望ましいと考えられる。
ＤＥ−Ａ−１９８１４２５５は、箱部分の後壁に対して折り畳まれた、箱部分の外側側壁パネルの縦方向後縁から延びる１対の追加フラップを有するヒンジ蓋厚紙シガレットパックを開示している。
【０００５】
【特許文献１】ＤＥ−Ａ−１９８１４２５５
【発明の開示】
【０００６】
本発明によれば、箱部分と箱部分にヒンジ止めされた蓋部分とを含むヒンジ蓋容器が提供され、箱部分は、第１ヒンジ線に関して容器の残りの部分に接続した一体型第１パネルと、一体型第２パネルとを含み、第１パネルは、最初の位置で箱部分の壁の少なくとも一部を形成し、第２パネルは、最初の位置で第１パネルの下に重なり、第１パネルは、最初の位置で少なくとも１つの脆弱線によって箱部分の壁に形成され、かつ最初の位置から、それが容器の残りの部分から外向きにヒンジ止めされる第２の位置まで第１ヒンジ線に関して折り畳み可能である。
【０００７】
第１パネルを最初の位置から第２の位置まで移動させることにより、消費者は、第１パネル及び第２パネルがそれらの最初の位置にある時に互いに対向する第１パネルの内向き表面と第２パネルの外向き表面とを露出させる。本発明によるヒンジ蓋容器の箱部分の第１パネルの内向き表面及び第２パネルの外向き表面は、従って、有利な態様においては、消費者情報を印刷、浮き彫り、又はその他の方法で表示することができる付加的な表面区域を提供する。
好ましくは、第２パネルは、第２ヒンジ線に関して容器の残りの部分に接続される。好ましくは、第２パネルは、最初の位置からそれが容器の残りの部分から外向きにヒンジ止めされる第２の位置まで、第２ヒンジ線に関して折り畳み可能である。
【０００８】
使用の際に、一体型第１パネルを最初の位置から第２の位置まで第１ヒンジ線に関して折り畳み、それによって第２パネルを露出させると、消費者は、第２パネルが容器の残りの部分から外向きにヒンジ止めされる第２の位置まで、第２ヒンジ線に関して第２パネルを折り畳むことができる。
第２パネルを最初の位置から第２の位置まで移動させることにより、消費者は、更に、第２パネルの内向き表面を露出させ、それによってこれも、有利な態様においては、消費者情報を印刷、浮き彫り、又はその他の方法で表示することができる付加的な表面区域を提供する。
【０００９】
好ましくは、箱部分は、最初の位置で第２パネルの下に重なる一体型第３パネルを更に含む。使用の際に、第２パネルが容器の残りの部分から外向きにヒンジ止めされる第２の位置まで、第２ヒンジ線に関して第２パネルを折り畳むことにより、消費者は、最初の位置で第２パネルの内向きにその下に重なる第３パネルを見せるか又は露出させる。第２パネル及び第３パネルがそれらの最初の位置にある時に第２パネルの内向き表面に対向する第３パネルの外向き表面は、それによって露出され、従って、有利な態様においては、消費者情報を印刷、浮き彫り、又はその他の方法で表示することができる付加的な表面区域も提供する。
【００１０】
本発明によるヒンジ蓋容器の箱部分の一体型第１パネル、一体型第２パネル、及びもし含まれる場合には一体型第３パネルによって設けられた付加的な表面区域は、有利な態様においては、蓋部分の開閉に関係なく消費者がアクセスすることができ、かつ容器内に収容された喫煙物品又は他の消費財へのアクセスを妨げることはない。
それに加えて、第１パネルが最初の位置で箱部分の壁の少なくとも一部を形成するので、本発明によるヒンジ蓋容器は、有利な態様においては、消費者が、第１パネルを第１ヒンジ線に関して第２の位置までそれを折り畳むことによって最初に開く前では、従来型ヒンジ蓋容器と実質的に同一の外観を有する。消費者によって第１パネルが開かれる前では、最初の位置で第１パネルの下に重なる第２パネル、及びもし含まれる場合には最初の位置で第２パネルの下に重なる第３パネルは見えないので、本発明によるヒンジ蓋容器の外観に影響を及ぼすことはない。
【００１１】
更に、第２パネルは、第１パネルが最初の位置で少なくとも一部を形成する箱部分の壁の背後に、その最初の位置で箱部分内に配置されるので、本発明によるヒンジ蓋容器にこの「付加的な」一体型パネルを含めることは、その全体寸法に影響を及ぼすことはない。同様に、もし含まれる場合に第３パネルは、第２パネルの背後にその最初の位置で箱部分内に配置されるので、同じくヒンジ蓋容器の全体寸法に影響を及ぼすことはない。
【００１２】
本発明の好ましい実施形態では、ヒンジ蓋容器は、下部箱部分とこの箱部分にヒンジ止めされた上部蓋部分とを含み、下部箱部分は、第１の壁と箱部分の底面壁によって第１の壁に接続した対向する第２の壁とを有し、第１パネルは、最初の位置で箱部分の第１の壁又は第２の壁の少なくとも一部を形成する。
本発明の実施形態では、箱部分は、消費財のためのレセプタクルを形成する前壁、対向する後壁、１対の対向する側壁、及び底面壁を含むことができ、第１パネルは、最初の位置で箱部分の前壁、後壁、又は側壁の一方の少なくとも一部を形成し、第２パネルは、最初の位置においてレセプタクル内で第１パネルの下に重なる。
好ましくは、第１パネルは、最初の位置で箱部分の主要な又は重要な壁の少なくとも一部を形成する。好ましくは、第１パネルは、最初の位置で箱部分の前壁又は後壁の少なくとも一部を形成する。
【００１３】
最初の位置の第１パネルは、以下に限定されるものではないが、１つ又はそれよりも多くの切り込み線、１つ又はそれよりも多くの折り線、１つ又はそれよりも多くの穿孔線、又はその組合せを含む１つ又はそれよりも多くの脆弱線によって箱部分の壁に形成することができる。好ましくは、第１パネルは、少なくとも１つの切り込み線、折り線、又は穿孔線によって箱部分の壁に形成される。より好ましくは、第１パネルは、少なくとも１つの切り込み線又は穿孔線によって箱部分の壁に形成される。最も好ましくは、第１パネルは、１つ又はそれよりも多くの穿孔線によって箱部分の壁に形成される。
【００１４】
好ましくは、第１ヒンジ線は、第１パネルが最初の位置で少なくとも一部を形成する箱部分の壁の縦方向縁部又は横方向縁部に沿っている。より好ましくは、第１ヒンジ線は、箱部分の壁の縦方向縁部に沿っている。
好ましくは、第１ヒンジ線及び第２ヒンジ線は、平行で対向している。
好ましくは、第１パネルは、箱部分の壁の全体にわたってその対向する縁部の間に延びている。
好ましくは、第１ヒンジ線に対向する第１パネルの縁部に沿って、第１パネルから外向きに延びるタブが設けられる。使用の際に、消費者は、最初の位置から、容器の残りの部分から外向きにヒンジ止めされた第２の位置まで第１ヒンジ線に関して第１パネルを折り畳むためにタブを掴んで引っ張ることができ、それによって下に重なる第２パネルを露出する。
【００１５】
本発明の特に好ましい実施形態では、最初の位置の第１パネルは、第１ヒンジ線に対して実質的に垂直に箱部分の壁にわたって延びる少なくとも１つの穿孔線により、より好ましくは、第１ヒンジ線に対して実質的に垂直に箱部分の壁にわたって延びる１対の平行な穿孔線によって形成され、第１パネルから外向きに延びるタブは、第１ヒンジ線に対向する第１パネルの縁部に沿って設けられる。最初の位置の第１パネルと突出タブとを形成する箱部分の壁における１つ又はそれよりも多くの穿孔線の組合せは、有利な態様においては、本発明によるヒンジ蓋容器の第１パネルが消費者によって簡単に最初に開かれることを可能にする。
好ましくは、第２ヒンジ線に対向する第２パネルの縁部に沿って切り欠きが設けられる。使用の際に、切り欠きの設置は、消費者による最初の位置から第２の位置への第２ヒンジ線に関する第２パネルの折り畳みを容易にする。
【００１６】
第１パネルは、第１ヒンジ線に沿って箱部分に取外し可能に接続させることができる。代替的に又は追加的に、第２パネルは、第２ヒンジ線に沿って箱部分に取外し可能に接続させることができる。例えば、第１ヒンジ線は、消費者がヒンジ蓋容器の残りの部分から第１パネルを取り外せるように穿孔することができる。使用の際に、最初の位置から第２の位置まで穿孔された第１ヒンジ線に関して第１パネルを外向きに折り畳み、次に、第１ヒンジ線に沿って引き裂くことにより、消費者は、例えば、そこに提供された情報を将来の参照のために保持するか又はクーポンとして第１パネルを商品と交換するために、ヒンジ蓋容器の残りの部分から第１パネルを取り外すことができる。
【００１７】
代替的に、最初の位置から第２の位置まで外向きに折り畳むことによって第１パネルを開いた後に、消費者は、引き続き第１ヒンジ線に関して内向きに折り畳んで戻すことによって第１パネルを再び閉じることができる。好ましくは、本発明のヒンジ蓋容器の箱部分は、第１パネルを再密閉位置に戻して保持するための一体型保持手段を更に含む。
好ましくは、一体型保持手段は、最初の位置で第１パネルの下に重なる少なくとも１つのタブを含む。ヒンジ蓋容器の箱部分が一体型第３パネルを更に含む場合、一体型保持手段は、好ましくは、最初の位置で第１パネルの下に重なって第３パネルの上に重なる少なくとも１つのタブを含む。使用の際に、第１パネルを再び閉じる時に、消費者は、有利な態様においては、第１パネルを再密閉位置に保持するために、第１パネルの一部分を少なくとも１つのタブの下に挿入することができる。
代替的に、一体型保持手段は、例えば、第１パネルに設けられたタブとヒンジ蓋容器の箱部分に設けられた協働スロットとを含むことができ、スロットは、第１パネルが再密閉位置にある時にタブを受け入れるように位置決めされる。
【００１８】
その表面積、及び従って銘柄、宣伝、販売促進、製品、及び他の消費者情報を付加することができる付加的な表面区域を増すために、本発明によるヒンジ蓋容器の箱部分の第１パネル、第２パネル、及び含まれる場合に第３パネルの各々は、最初の位置で互いの上に重なる２つ又はそれよりも多くのヒンジ式に接続されたサブパネルを含むことができる。本発明によるヒンジ蓋容器の第１パネル、第２パネル、及び含まれる場合に第３パネルの１つよりも多くが、２つ又はそれよりも多くのヒンジ式に接続されたサブパネルを含む場合は、サブパネルは、例えば、穿孔折り畳み線に沿って互いに取外し可能に接続させることができる。
【００１９】
本発明の１つの好ましい実施形態では、最初の位置にある一体型第１パネルは、ヒンジ蓋シガレットパック又は他のヒンジ蓋容器の箱部分の後壁の一部を形成する。この実施形態では、最初の位置にある第１パネルは、好ましくは、箱部分の後壁にわたって延びる１対の離間した平行な穿孔線により、容器の箱部分と蓋部分との間でヒンジと平行な方向に形成される。
代替の好ましい実施形態では、最初の位置にある第１パネルは、ヒンジ蓋シガレットパック又は他のヒンジ蓋容器の箱部分の前壁の一部を形成する。この実施形態では、最初の位置にある第１パネルは、同じく、箱部分の前壁にわたって延びる１対の離間した平行な穿孔線により、容器の箱部分と蓋部分との間でヒンジと平行な方向に形成することができる。代替的に、最初の位置にある第１パネルは、第１パネルの上縁が箱部分の前壁の上縁を形成するように、単一の穿孔線によって容器の箱部分と蓋部分との間でヒンジと平行な方向に形成することができる。
【００２０】
設けられる追加表面区域を更に増すために、本発明の更に他の好ましい実施形態では、ヒンジ蓋容器の箱部分は、その各々が最初の位置で箱部分の異なる壁の少なくとも一部を形成する２つ又はそれよりも多くの一体型第１パネルと、その各々が最初の位置で２つ又はそれよりも多くの一体型第１パネルの対応するものの下に重なる２つ又はそれよりも多くの一体型第２パネルとを含むことができる。必要に応じて、そのような実施形態では、箱部分はまた、その各々が最初の位置で２つ又はそれよりも多くの一体型第２パネルの対応するものの下に重なる２つ又はそれよりも多くの一体型第３パネルを更に含むことができる。
【００２１】
例えば、本発明によるヒンジ蓋容器の箱部分は、最初の位置で箱部分の後壁の少なくとも一部を形成する一体型第１パネルと、最初の位置でこの第１パネルの下に重なる一体型第２パネルと、最初の位置でこの第２パネルの下に重なる一体型第３パネルと、最初の位置で箱部分の前壁の少なくとも一部を形成する別の第１パネルと、最初の位置でこの更なる第１パネルの下に重なる更に別の一体型第２パネルと、最初の位置でこの更なる第２パネルの下に重なる一体型第３パネルとを含むことができる。
【００２２】
本発明によるヒンジ蓋容器は、直角の縦方向縁部及び直角の横方向縁部を備えた実質的に矩形の平行六面体形状とすることができる。代替的に、本発明によるヒンジ蓋容器の箱部分、蓋部分、又は箱部分と蓋部分の両方は、１つよりも多くの丸形縦方向縁部、丸形横方向縁部、傾斜付き縦方向縁部、傾斜付き横方向縁部、又はそれらのいずれかの組合せを含むことができる。例えば、ヒンジ蓋容器の箱部分及び蓋部分が組み立てられる元になるブランクに公知の方法で折り目を付けるか又は切り込みを付けることにより、本発明による「丸形コーナ」ヒンジ蓋容器を生成することができる。
【００２３】
本発明によるヒンジ蓋容器は、特に有利な態様においては、シガレット、シガー、又はシガリロのような喫煙物品のためのパックとして利用される。本発明によるヒンジ蓋容器はまた、有利な態様においては、喫煙物品の複数の個々のパックを保持するためのカートンとして利用することができる。例えば、２０本入りシガレットの１０個の個々のパックを保持するための本発明によるヒンジ蓋カートンを生成することができる。
シガレットが形成される元になるブランクの寸法の適切な選択により、異なる数の標準サイズ、キングサイズ、スーパーキングサイズ、スリム、スーパースリム、又はワイドシガレットを収容する本発明によるヒンジ蓋容器を生成することができる。
【００２４】
以下の説明から明らかになるように、従来のヒンジ蓋シガレットパックを生成するための既存の包装機械を有利に使用して、例えば、変換キットの設置のようないずれかの又は大きな機械の修正の必要なしに、そのような従来のパックと実質的に同一の外観を有する本発明による喫煙物品のヒンジ蓋パックを生成することができる。
本発明によるヒンジ蓋容器は、以下に限定されるものではないが、例えば、厚紙、板紙、プラスチック、金属化板、積層板、及びその組合せを含むあらゆる適切な材料で形成することができる。好ましくは、本発明によるヒンジ蓋容器は、厚紙で形成される。
本発明によるヒンジ蓋容器の蓋部分及び箱部分は、好ましくは単体ブランク、より好ましくは単体厚紙ブランクで形成される。
【００２５】
本発明によるヒンジ蓋容器は、箱部分から密閉位置で蓋部分によって覆われた空間内に少なくとも一部分が突出した、箱部分に装着された内側フレームを更に含むことができる
本発明によるヒンジ蓋容器は、従来の方法で、例えばポリエチレン又はポリプロピレンの透明なポリマーフィルムを用いて収縮包装又はその他の方法で上包装することができる。本発明によるヒンジ蓋パック容器が上包装される場合、上包装紙は、好ましくは、容器の周りでヒンジと平行に延びる引き裂きテープを含む。
本発明を以下に単なる一例として図面を参照して更に説明する。
【発明を実施するための最良の形態】
【００２６】
図に示す喫煙物品のための単体ブランク及びヒンジ蓋パックは、いくつかの共通の構成要素を有し、それらには、全体を通して同一又は類似の参照番号が付されている。
図１に示す積層単体ブランクは、横方向ヒンジ線８（図１に太い破線で示した）に沿って互いに接続した箱形成部分４及び蓋形成部分６を含む。箱形成部分４及び蓋形成部分６は、適切な折り線（図１に破線で示した）及び穿孔線（図１に二重線で示した）に関して折り畳まれた時に、本発明の第１の実施形態による立方形ヒンジ蓋パックの箱部分及び蓋部分を形成するいくつかのパネル及びフラップを含む。
【００２７】
図１のブランク２の蓋形成部分６のパネル及びフラップは、従来型立方形ヒンジ蓋シガレットパックを形成するための積層ブランクのパネル及びフラップと構成が同じなので更に説明しないことにする。
ブランク２の箱形成部分４は、底面壁パネル１６のいずれかの側面に配置された前壁パネル１０、矩形の底面壁パネル１６、及び１対の対向するフラップ１８のいずれかの側面に配置された矩形の前壁パネル１０、台形の右外側側壁パネル１２、及び対向する台形の左外側側壁パネル１４を含む。図１のブランク２の箱形成部分６のこれらのパネル及びフラップはまた、従来型立方形ヒンジ蓋シガレットパックを形成するための積層ブランクのパネル及びフラップと構成が同じである。
【００２８】
図１に示すように、箱形成部分は、第１の台形の右側内壁パネル２２と共に、矩形の後壁パネル２０、及び後壁パネル２０のいずれかの側面に配置された対向する第１の台形の左側内壁パネル２４を更に含む。第１の台形の右側内壁パネル２２及び第１の台形の左側内壁パネル２４は、それぞれ、第１の縦方向折り線２６及び第２の縦方向折り線２８に関して後壁パネル２０の側縁に折り畳み可能に接続される。
【００２９】
第２の右側内壁パネル３０は、第１の縦方向穿孔線３２に関して第１の縦方向折り線２６に対向する第１の台形の右側内壁パネル２２の側面に折り畳み可能に接続される。第２の左側内壁パネル３４は、第２の縦方向穿孔線３６に関して第２の縦方向折り線２８に対向する第１の台形の左側内壁パネル２４の側面に折り畳み可能に接続される。図１に示すように、第２の右側内壁パネル３０及び第２の左側内壁パネル３４は、第１の台形の右側内壁パネル２２及び第１の台形の左側内壁パネル２４と比較して高さが縮小されている。
【００３０】
矩形一体型第１パネル３８は、第１の縦方向折り線２６と第２の縦方向折り線２８との間で延びる１対の平行で離間した横方向穿孔線４０により、及び１対の横方向穿孔線４０の間で第１の縦方向折り線２６に沿って延びる第３の縦方向穿孔線４１により、ブランク２の後壁パネル２０に形成される。第１パネル３８は、ブランク２の箱形成部分４の後壁パネル２０と比較して高さが縮小されており、かつ第２の縦方向折り線２８に沿って第１の台形の左側内壁パネル２４にヒンジ式に接続されている。図１に示すように、タブ４２は、第３の縦方向穿孔線４１に沿って第１パネル３８から外向きに突出する。
【００３１】
後壁パネル２０及び第１パネル３８と実質的に同じ幅の一体型第２パネル４４は、第４の縦方向穿孔線４６に沿って第１の縦方向穿孔線３２に対向する第２の右側内壁パネル３０の側面にヒンジ式に接続される。図１に示すように、第２パネル４４のいずれかの側面に配置された１対の台形保持タブ４８はまた、その両端で、第４の縦方向穿孔線４６に沿って第２の右側内壁パネル３０にヒンジ式に接続される。第４の縦方向穿孔線４６に対向する第２パネル４４の縁部に沿って、中央半球形切り欠き５０が設けられる。
第２の台形左側内壁パネル３４と実質的に同じ高さの矩形一体型第３パネルは、第５の縦方向穿孔線５４に沿って第２の縦方向穿孔線３６に対向する第２の左側内壁パネル３４の側面にヒンジ式に接続される。
【００３２】
図１に示すブランク２で喫煙物品のためのヒンジ蓋パックを組み立てるために、第２の右側内壁パネル３０は、最初に第１の縦方向穿孔線３２に関して１８０度まで折り畳まれ、従って、それは、第１の台形右側内壁パネル２２の下にあり、ブランク２の箱形成部分４の後壁パネル２０において１対の保持タブ４８及び第２パネル４４は、第１パネル３８の下に重なる。第２の右側内壁パネル３０は、例えば、接着剤によって第１の台形右側内壁パネル２２に固定される。
第２の左側内壁パネル３４は、次に、第２の縦方向穿孔線３６に関して１８０度まで折り畳まれ、従って、それは、第１の台形左側内壁パネル２４の下にあり、かつ第３パネル５２は、第２パネル４４及び１対の保持タブ４８の下に重なっている。第２の左側内壁パネル３４も、例えば、接着剤によって第１の台形左側内壁パネル２４に固定される。
【００３３】
１８０度まで折り畳まれ、第１の台形右側内壁パネル２２及び第１の台形左側内壁パネル２４に固定された第２の右側内壁パネル３０及び第２の左側内壁パネル３４を備えた図１に示す形式のブランク２の背面又は内面の写真が、それぞれ図２に示されている。図２の部分的に折り畳まれたブランク２における第１パネル３８、第２パネル４４、保持タブ４８、及び第３パネル５２の相対位置を示すために、第３パネル５２及び第２パネル４４は、それぞれ、第５の縦方向穿孔線５４及び第４の縦方向穿孔線４６に関して外向きに折り畳まれて示されている。
【００３４】
第２の右側内壁パネル３０と第２の左側内壁パネル３４の折り畳みは、オフラインで行われる。喫煙物品のためのヒンジ蓋パックの組立を完成させるために、部分的に折り畳まれたブランク２は、次に既存のシガレット包装機械に送られ、喫煙物品の予め包まれた束、及び必要に応じて内側フレームの周りで、従来の方法で折り畳まれる。部分的に折り畳まれたブランク２のフットプリントは、従来型ヒンジ蓋パックを形成するための既存の積層ブランクのフットプリントと同じである。従って、部分的に折り畳まれたブランクでのヒンジ蓋パックの組立は、有利な態様においては、既存の包装機械に対して何も修正を必要としないか、又は既存の包装機械に対して、例えば、そのフィーダに対して非常に軽微な修正しか必要としない。
【００３５】
使用の際に、消費者は、突出しているタブ４２を掴んで引っ張り、第１パネル３８を開く。タブ４２を引くと、第１パネル３８が穿孔線４０、４１に沿って箱部分４の後壁２０の残りの部分から分離され、第１パネル３８は、ヒンジ蓋パックから第１ヒンジ線として作用する第２の縦方向折り線２８に関して図３に示す位置まで外向きに折り畳まれる。第１パネル３８の下に重なる第２パネル４４及び１対の保持タブ４８は、それによって露出する。
【００３６】
第２パネル４４を開くために、消費者は、次に、切り欠き５０を使用して第２パネル４４を把持し、それを、開いている第１パネル３８によって残されたヒンジ蓋パックの箱部分４の後壁パネル２０内の開口を通じて第２ヒンジ線として作用する第４の縦方向穿孔線４６に関してヒンジ蓋パックから外向きに折り畳む。図３に示すように、これが、第２パネル４４の下に重なる第３パネル５２を露出させる。
【００３７】
消費者が、例えば、第３パネルの外面、第２パネル４４の内面及び外面、及び第１パネルの内面に印刷、浮き彫り、又はその他の方法で表示された製品又は他の情報を読んだ状態で、消費者は、第４の縦方向穿孔線４６に関してそれを元通り内向きに折り畳むことによって第２パネル４４を再び閉じる。消費者は、次に第１パネル３８を第２の縦方向折り線２８に関して逆に折り畳むことによって第１パネル３８を再び閉じ、第１パネル３８を再密閉位置に保持するために第１パネルの対向するコーナ部分を１対の保持タブ４８の下に挿入する。
【００３８】
第２パネル４４及び第１パネル３８を再び閉じる代わりに、消費者は、代替的に、それらの一方又は両方を、それぞれ第４の縦方向穿孔線４６及び第２の縦方向折り線２８に沿って、ヒンジ蓋パックの箱部分４の残りの部分から取り外すことができる。例えば、クーポンとして使用するための第１パネル３８を取り外すのを簡単にするために、第２の縦方向折り線２８は、穿孔することもできる。
必要に応じて、本発明の第１の実施形態によるヒンジ蓋パックを形成するためのブランク２の折り線の１つ又はそれよりも多くは、切り込み線によって置換することができることが認められるであろう。第１の縦方向穿孔線３２、第２の縦方向穿孔線３６、第４の縦方向穿孔線４６、及び第５の縦方向穿孔線の１つ又はそれよりも多くは、折り線又は切り込み線によって置換することができることも認められるであろう。
【００３９】
本発明の第２の実施形態による喫煙物品のためのヒンジ蓋パックを形成するための積層単体ブランク５６の前面の平面図が図４に示されている。本発明の第２の実施形態では、喫煙物品のためのヒンジ蓋パックの第１パネル３８’は、後壁２０ではなく前壁１０に形成される。
図４に示すように、本発明の第２の実施形態による喫煙物品のためのヒンジ蓋パックを形成するためのブランク５６では、一体型第２パネル４４’は、ブランク５６の箱形成部分４の右外側側壁パネル１２に第１の縦方向穿孔線３２’に関して折り畳み可能に接続した第２の右外側側壁パネル３０’に第４の縦方向穿孔線４６’に関して折り畳み可能に接続される。同様に、ブランク５６の第３パネル５２’は、ブランク５６の箱形成部分４の左外側側壁パネル１４に第２の縦方向折り線２８に関して折り畳み可能に接続した第２の左外側側壁パネル３４’に第５の縦方向穿孔線５４に関して折り畳み可能に接続される。更に、ブランク５６は、第４の縦方向穿孔線４６’に沿って第２の右外側側壁パネル３０’にヒンジ式に接続された単一の保持タブ４８’を含むだけである。図４に示すブランクは、第１パネル３８’を形成するために、ブランク５６の箱形成部分４の前壁１０に単一の横方向穿孔線４０’だけが設けられるという点で、図１に示すブランク２とは一段と異なっている。しかし、ブランク５６の前壁１０にある第１パネル３８’が第１の縦方向折り線２６’と第２の縦方向折り線２８’との間で延びる１対の平行で離間した横方向穿孔線４０’によって代替的に形成される可能性があることは認められるであろう。
【００４０】
第２の実施形態による喫煙物品のためのヒンジ蓋パックを組み立てるために、ブランク５６は、図１のブランク２の場合に上述した方法と類似の方法で折り畳まれる。使用の際に、組み立てられたヒンジ蓋パックの第３パネル５２’の外面、第２パネル４４’の内面及び外面、及び第１パネル３８’の内面によって提供された付加的な表面区域に表示された情報は、上述のものと同一の方法で消費者によってアクセスされる。
【００４１】
図５から９は、それぞれ、本発明の第３、第４、第５、第６、及び第７の実施形態による喫煙物品のためのヒンジ蓋パックを形成するための積層単体ブランク５８、６０、６２、６４、６６の前面の平面図である。図５から９に示すブランクの各々は、横方向ヒンジ線８に沿って互いに接続した箱形成部分４及び蓋形成部分６を含む。ブランクの蓋形成部分６のパネル及びフラップは、ここでもまた、従来型立方形ヒンジ蓋シガレットパックを形成するための積層ブランクの構成と同一構成である。
【００４２】
その表面積、及び従って銘柄、宣伝、販売促進、製品、及び他の消費者情報を付加することができる追加表面区域を増すために、図５から９に示すブランクの各々の第１パネル、第２パネル、及び第３パネルの少なくとも１つは、折り線に関して互いに折り畳み可能に接続された図中参照符号「ａ」と「ｂ」でラベル付けされた２つのサブパネルを含む。
ブランクで本発明の第３、第４、第５、第６の実施形態によるヒンジ蓋パックを組み立てる時に、第１パネル、第２パネル、及び／又は第３パネルを形成する２つのサブパネルは、図１に示すブランク２に対してブランクが上述の方法で実質的に折り畳まれる前に互いに重なるようにして折り畳まれる。互いに重なるように最初に蛇腹形又アコーディオン形に折り畳まれた３つ又はそれよりも多くの折り畳み可能に接続したサブパネルを含む第１パネル、第２パネル、及び／又は第３パネルを有する本発明によるヒンジ蓋容器も同様に生成することができることは認められるであろう。
【００４３】
本発明の第５及び第６の実施形態によるヒンジ蓋パックによって提供される追加表面区域を更に増すために、それぞれ図８及び９に示すブランク６４及びブランク６６は、箱形成部分４の後壁２０に形成された第１パネル３８ばかりでなく、箱形成部分４の前壁１０に形成された更に別の第１パネル３８’も有する。これらのブランクの構成は、従って、図１に示すブランク２の構成と図４に示すブランク５６の構成との組合せに基づいている。
【００４４】
それぞれ、図１及び図４から９に示すブランク５８、６０、６２、６４、６６で形成された本発明の第１から第７の実施形態によるヒンジ蓋パックは、３つの一体型パネル、すなわち、最初の位置で箱の箱部分の壁の一部を形成する第１パネル、最初の位置で第１パネルの下に重なる第２パネル、及び最初の位置で第２パネルの下に重なる第３パネルを含む。
しかし、２つの一体型パネル、すなわち、最初の位置で容器の箱部分の壁の一部を形成する第１パネル、及び最初の位置で第１パネルの下に重なる第２パネルを含む本発明によるヒンジ蓋容器も生成することができることは認められるであろう。例えば、図１０は、本発明の第８の実施形態による喫煙物品のためのヒンジ蓋パックを形成するための積層単体ブランク６８の前面の平面図である。本発明の第８の実施形態では、上述の本発明の第１の実施形態によるヒンジ蓋パックの場合のように、喫煙物品のためのヒンジ蓋パックの箱部分４の前壁１０に第１パネル３８が形成される。しかし、第８の実施形態では、第３パネル５２は、最初の位置で第１パネル３８の下にあり、第２パネル４４は割愛される。
【００４５】
図１０に示すように、本発明の第８の実施形態による喫煙物品のためのヒンジ蓋パックを形成するためのブランク６８は、一体型第２パネル４４、第２の右側内壁パネル３０、又は第１の縦方向穿孔線３２を含まないが、図１に示すブランク２とその他の方法で同一の構成である。
図１及び図４から１０に示す積層ブランクで形成された本発明による喫煙物品のためのヒンジ蓋パックは、従来の方法で、例えばポリエチレン又はポリプロピレンのような透明ポリマーフィルムを用いて収縮包装又はその他の方法で上包装することができる。
【００４６】
以上の説明から、本発明によるヒンジ蓋容器は、有利な態様においては、読むための追加情報を消費者に提供し、かつある一定の実施形態では容器に収容された喫煙物品又は他の製品への消費者のアクセスを妨げない方法で除去することを可能にすることが認められるであろう。
更に、本発明による喫煙物品のためのヒンジ蓋パックは、有利な態様においては、既存の包装機械を使用して、その軽微な修正だけに従い、かつ既存のシガレット又は従来のヒンジ蓋パック寸法を何も変更せずに生成することができることが認められるであろう。
【図面の簡単な説明】
【００４７】
【図１】本発明の第１の実施形態による喫煙物品のためのヒンジ蓋パックを形成するための積層単体ブランクの前面又は外面の平面図である。
【図２】図１に示す形式の部分的に折り畳まれたブランクの背面又は内面の写真である。
【図３】第２の位置に第１パネル及び第２パネルを備えた図１のブランクで形成された本発明の第１の実施形態による喫煙物品のためのヒンジ蓋パックの背面図である。
【図４】本発明の第２の実施形態による喫煙物品のためのヒンジ蓋パックを形成するための積層単体ブランクの前面の平面図である。
【図５】本発明の第３の実施形態による喫煙物品のためのヒンジ蓋パックを形成するための積層単体ブランクの前面の平面図である。
【図６】本発明の第４の実施形態による喫煙物品のためのヒンジ蓋パックを形成するための積層単体ブランクの前面の平面図である。
【図７】本発明の第５の実施形態による喫煙物品のためのヒンジ蓋パックを形成するための積層単体ブランクの前面の平面図である。
【図８】本発明の第６の実施形態による喫煙物品のためのヒンジ蓋パックを形成するための積層単体ブランクの前面の平面図である。
【図９】本発明の第７の実施形態による喫煙物品のためのヒンジ蓋パックを形成するための積層単体ブランクの前面の平面図である。
【図１０】本発明の第８の実施形態による喫煙物品のためのヒンジ蓋パックを形成するための積層単体ブランクの前面の平面図である。
【符号の説明】
【００４８】
２０  箱部分の壁
３８  一体型第１パネル
４４  一体型第２パネル
５２  一体型第３パネル
【図１】
2009530200.tif 000003
【図２】
2009530200.tif 000004
【図３】
2009530200.tif 000005
【図４】
2009530200.tif 000006
【図５】
2009530200.tif 000007
【図６】
2009530200.tif 000008
【図７】
2009530200.tif 000009
【図８】
2009530200.tif 000010
【図９】
2009530200.tif 000011
【図１０】
2009530200.tif 000012
【国際調査報告】
2009530200.tif 000013
2009530200.tif 000014